(57)【要約】【課題】表示装置を単独で持ち運んでの利用と他の表示装置と繋げての利用の切り替えを容易にすること。【解決手段】カバー部材３０は、第１表示装置１０及び第２表示装置２０が固定される長方形のシート状の部材である。連結部３７は、第１カバー部３１及び第２カバー部３２の間で両カバー部を連結する長方形の板状の部分である。連結部３７は、可撓性を有し、容易に撓ませることができる。結線部材４０は、カバー部材３０に第２表示装置２０が固定された状態で第１表示装置１０がカバー部材３０に固定されると、第１表示装置１０と第２表示装置２０とを結線する部材である。結線部材４０が有する内蔵配線部４５は、カバー部材３０の内部に設けられている。【選択図】図１
2020118752.tif 000002
【特許請求の範囲】
【請求項１】
表示面を有する板状の第１装置と、
表示面を有する板状の第２装置と、
前記第１装置及び前記第２装置が固定されるシート状のカバー部材であって、両装置が固定される部分の間に可撓性を有する可撓部を有し、少なくとも前記第１装置は着脱可能なカバー部材と、
前記第１装置が前記カバー部材に固定されると、当該第１装置と前記カバー部材に固定された前記第２装置を結線する結線部材と
を備える表示システム。
【請求項２】
前記結線部材は、前記可撓部の内部に設けられた配線を有する
請求項１に記載の表示システム。
【請求項３】
前記カバー部材に固定された前記第１装置及び前記第２装置の互いの側面が接近する状態を維持する維持部材を備える
請求項１又は２に記載の表示システム。
【請求項４】
前記維持部材は、磁力により前記接近する状態を維持する
請求項３に記載の表示システム。
【請求項５】
前記互いの側面が接近する状態となるまで前記第１装置及び前記第２装置のうちの少なくとも一方をスライドさせるスライド部を備える
請求項４に記載の表示システム。
【請求項６】
前記互いの側面が接近したことを検知する接近検知部と、
前記接近検知部による検知が行われた場合に、前記第１装置及び前記第２装置の一方に表示されている画像に関連する画像を他方に表示させる第１表示制御部とを備える
請求項３から５のいずれか１項に記載の表示システム。
【請求項７】
前記第１装置及び前記第２装置の一方が前記カバー部材に固定された状態で他方が前記カバー部材に固定されたことを検知する固定検知部と、
前記固定検知部による検知が行われた場合に、前記第１装置及び前記第２装置の一方に表示されている画像に関連する画像を他方に表示させる第２表示制御部とを備える
請求項１から６のいずれか１項に記載の表示システム。
【請求項８】
前記第２装置も着脱可能である
請求項１から７のいずれか１項に記載の表示システム。
【発明の詳細な説明】
【技術分野】
【０００１】
本発明は、複数の表示装置を並べて利用する技術に関する。
【背景技術】
【０００２】
複数の表示装置を並べて利用する技術が知られている。特許文献１には、それぞれ表示装置を備えた本体部と表示部が可撓性の連結部で連結された携帯端末装置が開示されている。
【先行技術文献】
【特許文献】
【０００３】
【特許文献１】特開２０００−２４２３９３号公報
【発明の概要】
【発明が解決しようとする課題】
【０００４】
特許文献１の技術のように複数の表示装置が連結されていると、複数の表示面を１つの表示面として表示させたり、複数の画像を各表示面に表示させたりすることができて便利である。一方で、１つの表示装置を単独で利用したい場合には、他の表示装置が繋がっていない方が軽くて持ちやすいので使いやすい。
そこで、本発明は、表示装置を単独で持ち運んでの利用と他の表示装置と繋げての利用の切り替えを容易にすることを目的とする。
【課題を解決するための手段】
【０００５】
上記目的を達成するために、本発明は、表示面を有する板状の第１装置と、表示面を有する板状の第２装置と、前記第１装置及び前記第２装置が固定されるシート状のカバー部材であって、両装置が固定される部分の間に可撓性を有する可撓部を有し、少なくとも前記第１装置は着脱可能なカバー部材と、前記第１装置が前記カバー部材に固定されると、当該第１装置と前記カバー部材に固定された前記第２装置を結線する結線部材とを備える表示システムを提供する。
【０００６】
また、前記結線部材は、前記可撓部の内部に設けられた配線を有していてもよい。
【０００７】
また、前記カバー部材に固定された前記第１装置及び前記第２装置の互いの側面が接近する状態を維持する維持部材を備えていてもよい。
【０００８】
また、前記維持部材は、磁力により前記接近する状態を維持してもよい。
【０００９】
また、前記互いの側面が接近する状態となるまで前記第１装置及び前記第２装置のうちの少なくとも一方をスライドさせるスライド部を備えていてもよい。
【００１０】
また、前記互いの側面が接近したことを検知する接近検知部と、前記接近検知部による検知が行われた場合に、前記第１装置及び前記第２装置の一方に表示されている画像に関連する画像を他方に表示させる第１表示制御部とを備えていてもよい。
【００１１】
また、前記第１装置及び前記第２装置の一方が前記カバー部材に固定された状態で他方が前記カバー部材に固定されたことを検知する固定検知部と、前記固定検知部による検知が行われた場合に、前記第１装置及び前記第２装置の一方に表示されている画像に関連する画像を他方に表示させる第２表示制御部とを備えていてもよい。
【００１２】
また、前記第２装置も着脱可能であってもよい。
【発明の効果】
【００１３】
本発明によれば、表示装置の単独での利用と他の表示装置と繋げての利用を容易に行うことができる。
【図面の簡単な説明】
【００１４】
【図１】実施例に係る表示システムの外観を表す図
【図２】Ｙ軸負方向に見たカバー部材を表す図
【図３】表示装置が固定された表示システムを表す図
【図４】折り畳まれたカバー部材を表す図
【図５】表示装置の端子を表す図
【図６】表示装置のスライドを表す図
【図７】スライド後の表示システム１を表す図
【図８】第１保持部を拡大して表す図
【図９】第１端子及び第１レール部を拡大して表す図
【図１０】第１表示装置のハードウェア構成を表す図
【図１１】第２表示装置のハードウェア構成を表す図
【図１２】切替制御における動作手順の一例を表す図
【図１３】変形例の切替制御における動作手順の一例を表す図
【発明を実施するための形態】
【００１５】
［１］実施例
図１は実施例に係る表示システム１の外観を表す。表示システム１は、折り畳み可能な２画面の表示手段として利用可能な装置及び部材の一式である。表示システム１は、第１表示装置１０と、第２表示装置２０と、カバー部材３０と、結線部材４０とを備える。第１表示装置１０及び第２表示装置２０は、後述するようにカバー部材３０に着脱可能（取り付けと取り外しが可能）な装置である。
【００１６】
図１では、両表示装置が取り外された状態が表されている。第１表示装置１０は、第１表示面１１と、第１筐体１２とを有する板状の表示手段であり、本発明の「第１装置」の一例である。第１表示面１１は、画像が表示される面である。第１表示面１１は、長方形且つ平らな面であり、本実施例では、タッチパネルの入力画面を兼ねている。第１筐体１２は、板状且つ中空の筐体であり、一方の面（表面）に第１表示面１１が設けられている。
【００１７】
また、第１筐体１２には、スピーカ、マイク及びカメラ等が設けられている。第１表示装置１０は、これらのハードウェアにより、携帯電話機及びデジタルカメラ等を兼ねたいわゆるスマートフォンとして用いられる。第２表示装置２０は、第２表示面２１と、第２筐体２２とを有する板状の表示手段であり、本発明の「第２装置」の一例である。第２表示面２１は、画像が表示される面である。
【００１８】
第２表示面２１は、長方形且つ平らな面であり、本実施例では、タッチパネルの入力画面を兼ねている。第２筐体２２は、板状且つ中空の筐体であり、一方の面（表面）に第２表示面２１が設けられている。第２筐体２２には、本実施例では、第１筐体１２と異なりスピーカ、マイク及びカメラ等が設けられていない。そのため、第２表示装置２０は、スマートフォンではなく、タッチパネル式のディスプレイ（タッチスクリーン）として用いられる。
【００１９】
カバー部材３０は、第１表示装置１０及び第２表示装置２０が固定される長方形のシート状の部材である。図１では、カバー部材３０の長辺に沿った方向をＸ軸方向、短辺に沿った方向をＹ軸方向、Ｘ軸方向及びＹ軸方向に直交する方向をＺ軸方向として示している。Ｘ軸方向は正面から見て右向きが正方向、Ｙ軸方向は正面から見て下向きが正方向、Ｚ軸方向は正面から裏側に向かう方向を正方向とする（図１はＺ軸正方向に見ている）。
【００２０】
カバー部材３０については図２及び図３も参照しながら説明する。
図２はＹ軸負方向に見たカバー部材３０を表す。カバー部材３０は、第１カバー部３１と、第２カバー部３２と、第１保持部３３と、第２保持部３４と、第１スライド部３５と、第２スライド部３６と、連結部３７とを有する。第１カバー部３１は、第１表示装置１０が着脱可能に固定される長方形の板状の部分である。第１カバー部３１には、板状の第１スライド部３５の一方の面が固定されている。
【００２１】
第１スライド部３５の他方の面には、第１保持部３３がスライド可能に固定されている（スライドについては後程詳しく説明する）。第１保持部３３は、第１表示装置１０を格納可能な中空の直方体から一面を除いた形をしており、その面が除かれた部分から嵌め込まれた第１表示装置１０を外れないように保持していわゆるホルダー又はケースとしての役割を果たす。第１保持部３３が第１表示装置１０を保持することで、第１カバー部３１に第１表示装置１０が固定される。
【００２２】
第２カバー部３２は、第２表示装置２０が着脱可能に固定される長方形の板状の部分である。第２カバー部３２には、板状の第２スライド部３６の一方の面が固定されている。第２スライド部３６の他方の面には、第２保持部３４がスライド可能に固定されている（同じく後述する）。第２保持部３４は、第２表示装置２０を格納可能な中空の直方体から一面を除いた形をしており、その面が除かれた部分から嵌め込まれた第２表示装置２０を外れないように保持していわゆるホルダー又はケースとしての役割を果たす。第２保持部３４が第２表示装置２０を保持することで、第２カバー部３２に第２表示装置２０が固定される。
【００２３】
図３は表示装置が固定された表示システム１を表す。図３では正面から見た表示システム１が表されている。カバー部材３０に固定されると、第１保持部３３に保持された第１表示装置１０の第１表示面１１と第２保持部３４に保持された第２表示装置２０の第２表示面２１とが並んだ状態で画像を表示することになる。
【００２４】
連結部３７は、第１カバー部３１及び第２カバー部３２、すなわち、第１表示装置１０が固定される部分及び第２表示装置２０が固定される部分の間で両カバー部を連結する長方形の板状の部分である。連結部３７は、可撓性を有し、容易に撓ませることができる。連結部３７は本発明の「可撓部」の一例である。そのため、カバー部材３０は、連結部３７を中心にして折り畳むことができる。
【００２５】
図４は折り畳まれたカバー部材３０を表す。カバー部材３０は、図４に表すように、第１保持部３３及び第２保持部３４を内側にして折り畳まれている。第１保持部３３の厚さ（Ｚ軸方向の寸法）は第１表示装置１０の厚さよりも大きく、第２保持部３４の厚さは第２表示装置２０の厚さよりも大きい。そのため、図３に表すようにカバー部材３０が折り畳まれた場合に、第１保持部３３及び第２保持部３４が接触して、第１表示面１１及び第２表示面２１が接触しないようになり、表示面の破損が防がれるようになっている。
【００２６】
結線部材４０は、カバー部材３０に第２表示装置２０が固定された状態で第１表示装置１０がカバー部材３０に固定されると、第１表示装置１０と第２表示装置２０とを結線する部材である。両表示部の結線は、例えば、第１表示面１１及び第２表示面２１を１つの表示面として画像を表示する全画面表示を行う際の制御信号の伝達のために用いられる。
【００２７】
結線部材４０は、第１端子４１と、第２端子４２と、第１レール部４３と、第２レール部４４と、内蔵配線部４５とを有する。第１端子４１は、第１表示装置１０の端子と接触し、第２端子４２は、第２表示装置２０の端子と接触する。
図５は表示装置の端子を表す。第１表示装置１０は、背面１３（第１表示面１１の裏側の面）に第１背面端子１４を有する。
【００２８】
第２表示装置２０は、背面２３（第２表示面２１の裏側の面）に第２背面端子２４を有する。一方、第１保持部３３には、第１背面端子１４に対応する位置（第１保持部３３に第１表示装置１０が保持されたときに第１背面端子１４と対向する位置）に第１端子４１が露出して設けられている。また、第２保持部３４には、第２背面端子２４に対応する位置に第２端子４２が露出して設けられている。
【００２９】
第１端子４１は、第１保持部３３に保持された第１表示装置１０の第１背面端子１４と接触し、第２端子４２は、第２保持部３４に保持された第２表示装置２０の第２背面端子２４と接触する。第１レール部４３は、通電性を有する棒状の部材であり、第１端子４１と接触している。第２レール部４４は、通電性を有する棒状の部材であり、第２端子４２と接触している。
【００３０】
内蔵配線部４５は、例えば銅線を主体としたフレキシブル配線（フレキシブルプリント基板により作られた配線）である。内蔵配線部４５は、一端が第１レール部４３に接続され、他端が第２レール部４４に接続されている。このように結線部材４０の各部が接続及び接触することで、第１表示装置１０及び第２表示装置２０が結線される（電気的に接続される）。
【００３１】
内蔵配線部４５は、カバー部材３０の内部に設けられている。具体的には、内蔵配線部４５は、第１カバー部３１、第２カバー部３２及び連結部３７の内部に設けられている。内蔵配線部４５は本発明の「配線」の一例である。このように第１表示装置１０及び第２表示装置２０を電気的に接続する配線がカバー部材３０（特に連結部３７）の内部に設けられていることで、配線が目立たないようになっている。
【００３２】
また、内蔵配線部４５は、撓ませることが可能なフレキシブル配線であるため、カバー部材３０が図４に表すように折り畳まれた状態でも、連結部３７と共に撓んで電気的な接続を維持する。表示システム１においては、カバー部材３０の折り畳みの他に、カバー部材３０を開いた状態において、第１表示装置１０の第１表示面１１及び第２表示装置２０の第２表示面２１を接近させることができる。この接近のための構成について、図６以降を参照して説明する。
【００３３】
図６は表示装置のスライドを表す。図６では、下側から見た表示システム１が表されている。第１スライド部３５には第１保持部３３がＸ軸方向にスライド可能に固定され、第２スライド部３６には第２保持部３４がＸ軸方向にスライド可能に固定されている。第１保持部３３及び第２保持部３４がＸ軸方向にスライドすることで、図６（ａ）に表すように第１保持部３３及び第２保持部３４が離れた状態から、図６（ｂ）に表すように第１保持部３３及び第２保持部３４が接触する状態になる。
【００３４】
第１スライド部３５及び第２スライド部３６は図示せぬストッパを有しており、図６（ａ）に表す位置と図６（ｂ）に表す位置との間で両保持部のスライドが可能になっている。図６（ｂ）に表すように第１保持部３３及び第２保持部３４がスライドして接触することで、スライド後の第１表示装置１０及び第２表示装置２０が接近した状態になる。
【００３５】
ここでいう接近とは、所定の距離以上まで近づくことを言い、本実施例では、第１保持部３３及び第２保持部３４を間に挟んだ距離まで近づくことを言う。例えば図６（ｂ）の状態では、第１表示装置１０及び第２表示装置２０の間には第１保持部３３及び第２保持部３４だけが存在するので、両表示装置（両装置）が接近した状態になっている。この状態をスライド後の状態とも言う。
【００３６】
図７はスライド後の表示システム１を表す。図７では、正面から見た表示システム１が表されている。図７に表すように、第１スライド部３５及び第２スライド部３６は、カバー部材３０に固定された第１表示装置１０及び第２表示装置２０を、互いの側面（第１表示装置１０の第２表示装置２０側の側面１５及び第２表示装置２０の第１表示装置１０側の側面２５）が接近する状態となるまでスライドさせる。第１スライド部３５及び第２スライド部３６は本発明の「スライド部」の一例である。
【００３７】
前述した側面１５及び側面２５が接近すると、第１表示面１１及び第２表示面２１も図7に表すように接近する。このように両表示面が接近した状態になると、両表示面が離れている状態に比べて、上述した全画面表示（第１表示面１１及び第２表示面２１を１つの表示面とした画像の表示）により表示された画像がきれいに繋がって見えるようになる。
【００３８】
表示システム１においては、側面１５及び側面２５が接近する状態が維持されるようになっている。その仕組みについて図８を参照して説明する。
図８は第１保持部３３を拡大して表す。図８（ａ）ではスライド前の状態が表され、図８（ｂ）ではスライド後の状態が表されている。第１保持部３３には、第２保持部３４側に磁力部材５１が設けられている（図中の接触センサ３８については別の説明の際に述べる）。第２保持部３４には、第１保持部３３側に磁力部材５２が設けられている。
【００３９】
磁力部材５１及び磁力部材５２は、互いに極性が異なる磁力を発生させる部材（例えば永久磁石）である。磁力部材５１及び磁力部材５２は、本実施例では、図８（ａ）に表すようなスライド前の状態では第１保持部３３及び第２保持部３４をスライドさせるほどの磁力を生じさせないが、両保持部をある程度近づけるとその磁力により両保持部をスライドさせ、図８（ｂ）に表すように両保持部が接触する状態にする。
【００４０】
第１保持部３３及び第２保持部３４が接触すると、カバー部材３０にスライド可能に固定された第１表示装置１０の側面１５及び第２表示装置２０の側面２５が接近する状態となる。磁力部材５１及び磁力部材５２は、磁力によりこの両側面が接近した状態を維持する。磁力部材５１及び磁力部材５２は本発明の「維持部材」の一例である。ここでいう「維持する」とは、両側面を離す方向に一定以上の力（単なる振動により加わる力よりは大きい力）が加わらない限り、両側面が遠ざかることがないようにすることをいう。
【００４１】
両磁力部材が設けられていなければ、例えば全画面表示を行っている際に振動等で少しでも力が加わると両側面が遠ざかってしまい、表示されている画像の中央の隙間が広がって１つの画像として見えにくくなる。その場合に比べて、本実施例では、両磁力部材が上記のとおり接近した状態を維持することで、全画面表示を安定して見ることができるようになっている。
【００４２】
結線部材４０は、上述したスライドが行われる際も、電気的な接続を維持する。その仕組みについて図９を参照して説明する。
図９は第１端子４１及び第１レール部４３を拡大して表す。図９（ａ）では表示面の接近前の状態が表され、図９（ｂ）では表示面の接近後の状態が表されている。第１レール部４３は、第１スライド部３５に対して固定されている。
【００４３】
また、第１レール部４３は、図９（ａ）の状態において、第１端子４１と接触する箇所よりもＸ軸負方向側（第２表示装置２０側）に延伸した部分を有している。図９（ｂ）に表すように第１保持部３３がＸ軸負方向にスライドすると、それに合わせて第１端子４１もＸ軸負方向に移動するが、第１レール部４３が前述の延伸した部分を有するので、その部分に第１端子４１が接触したまま移動する。
【００４４】
第２端子４２も同様に、第２レール部４４との接触を維持したまま移動する。第１レール部４３及び第２レール部４４は、第１保持部３３及び第２保持部３４が図９（ｂ）に表すように接触するまで各端子と接触し続けるだけの長さの延伸した部分を有している。このように各レール部及び各端子が接触を維持することで、両保持部のスライドが行われる際も結線部材４０の電気的な接続が維持される。
【００４５】
図１０は第１表示装置１０のハードウェア構成を表す。第１表示装置１０は、プロセッサ２と、メモリ３と、ストレージ４と、通信装置５と、入力装置６と、出力装置７と、バス８という各装置を備えるコンピュータである。なお、ここでいう「装置」という文言は、装置、デバイス及びユニット等に読み替えることができる。また、各装置は、１つ又は複数含まれていてもよいし、一部の装置が含まれていなくてもよい。
【００４６】
プロセッサ２は、例えば、オペレーティングシステムを動作させてコンピュータ全体を制御する。プロセッサ２は、周辺装置とのインターフェース、制御回路、演算回路、レジスタなどを含む中央処理回路（ＣＰＵ：Central Processing Unit）で構成されてもよい。また、プロセッサ２は、ＯＳ（Operating System：オペレーティングシステム）及び各種のアプリケーションを含むプログラム（プログラムコード）、ソフトウェアモジュール及びデータ等を、ストレージ４及び／又は通信装置５からメモリ３に読み出し、これらに従って各種の処理を実行する。
【００４７】
各種処理を実行するプロセッサ２は１つでもよいし、２以上であってもよく、２以上のプロセッサ２は、同時又は逐次に各種処理を実行してもよい。また、プロセッサ２は、１以上のチップで実装されてもよい。プログラムは、電気通信回線を介してネットワークから送信されてもよい。メモリ３は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）及びＲＡＭ（Random Access Memory）等の少なくとも１つで構成されてもよい。
【００４８】
メモリ３は、レジスタ、キャッシュ及びメインメモリ（主記憶装置）等と呼ばれてもよい。メモリ３は、前述したプログラム（プログラムコード）、ソフトウェアモジュール及びデータ等を保存することができる。ストレージ４は、コンピュータが読み取り可能な記録媒体であり、例えば、ハードディスクドライブ、フレキシブルディスク、フラッシュメモリ（例えば、カード、スティック、キードライブ）、磁気ストリップなどの少なくとも１つで構成されてもよい。
【００４９】
ストレージ４は、補助記憶装置と呼ばれてもよい。上述の記憶媒体は、例えば、メモリ３及び／又はストレージ４を含むデータベース、サーバその他の適切な媒体であってもよい。通信装置５は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００５０】
入力装置６は、外部からの入力を受け付ける入力デバイス（例えば、マイクロフォン、スイッチ、ボタン、センサなど）である。出力装置７は、外部への出力を実施する出力デバイス（例えば、ディスプレイ、スピーカ、ＬＥＤランプなど）である。表示システム１においては、入力装置６及び出力装置７は、一体となって構成されるタッチスクリーンを含んでいる。
【００５１】
プロセッサ２及びメモリ３等の各回路は、情報を通信するためのバス８を介して互いにアクセス可能となっている。バス８は、単一のバスで構成されてもよいし、回路間で異なるバスで構成されてもよい。また、第１表示装置１０は、マイクロプロセッサ、デジタル信号プロセッサ（ＤＳＰ：Digital Signal Processor）を含んで構成されてもよい。
【００５２】
また、第１表示装置１０は、ＡＳＩＣ（Application Specific Integrated Circuit）、ＰＬＤ（Programmable Logic Device）、及び、ＦＰＧＡ（Field Programmable Gate Array）等のハードウェアを含んで構成されてもよく、当該ハードウェアにより、各機能の一部又は全てが実現されてもよい。例えば、プロセッサ２は、これらのハードウェアの少なくとも１つで実装されてもよい。
【００５３】
図１１は第２表示装置２０のハードウェア構成を表す。第２表示装置２０は、通信装置５と、入力装置６と、出力装置７と、バス８という各装置を備える。これらは図１０に表す各装置と共通のハードウェアであるが、異なる部分もある。例えば通信装置５は、結線部材４０を介して第１表示装置１０の通信装置５とのみ通信を行う。また、各装置は、通信装置５を介してやり取りされる制御信号によって、第１表示装置１０のプロセッサ２によって制御される。
【００５４】
プロセッサ２は、第１表示装置１０及び第２表示装置２０における画像の表示を制御する。プロセッサ２は、例えば、第１表示面１１及び第２表示面２１を１つの表示面として捉えた全画面表示を制御する。また、プロセッサ２は、第１表示面１１及び第２表示面２１を別々の表示面として捉えた２画面表示を制御する。また、プロセッサ２は、第１表示面１１及び第２表示面２１のいずれか一方にだけ画像を表示する１画面表示を制御する。
【００５５】
また、プロセッサ２は、第１表示装置１０の側面１５及び第２表示装置２０の側面２５の接近及び隔離を契機に、第１表示装置１０及び第２表示装置２０の一方に表示されている画像に関連する画像を他方に表示させる切替制御を行う。この場合のプロセッサ２は本発明の「第１表示制御部」の一例である。プロセッサ２は、例えば、第１表示装置１０（第２表示装置２０でもよい）において１画面表示が行われている画像を両表示装置で全画面表示させる表示制御を切替制御として行う。
【００５６】
この場合、１画面表示された画像の半分の画像が関連する画像として表示されることになる。また、プロセッサ２は、２画面表示が行われている場合の一方（どちらの画像でもよい）の画像を両表示装置で全画面表示させる表示制御を切替制御として行う。プロセッサ２は、図８に表す接触センサ３８の出力に基づいて両側面の接近及び隔離を検知する。接触センサ３８は、第１保持部３３の第２保持部３４側に露出して設けられており、第２保持部３４との接触を検知する。
【００５７】
接触センサ３８は、図示せぬ配線により第１端子４１と電気的に接続されており、第１端子４１を介してプロセッサ２に検知結果を示す信号を出力する。プロセッサ２は、接触を検知する信号が出力されてくると、第１保持部３３及び第２保持部３４が接触し、側面１５及び側面２５が接近したことを検知する。この場合のプロセッサ２は本発明の「接近検知部」の一例である。
【００５８】
なお、接近の検知には、接触センサに限らず、例えば光センサ（暗くなると接近を検知）及び測距センサ（距離が閾値未満になると接近を検知）等が用いられてもよく、側面１５及び側面２５の接近が検知可能であればどのようなセンサが用いられてもよい。また、プロセッサ２は、接触を検知する信号が出力されてこなくなると、第１保持部３３及び第２保持部３４が接触しなくなり、側面１５及び側面２５が離れたことを検知する。以下、図１２を参照して切替制御の動作手順について説明する。
【００５９】
図１２は切替制御における動作手順の一例を表す。この動作手順は、ユーザが第１表示装置１０及び第２表示装置２０をカバー部材３０に固定した状態で、画像を表示させる操作（表示操作）を行うことを契機に開始される。まず、プロセッサ２は、ユーザが行った表示操作に基づいて１画面表示又は２画面表示を行う（ステップＳ１１）。次に、プロセッサ２は、側面１５及び側面２５の接近を検知したか否かを判断する（ステップＳ１２）。
【００６０】
プロセッサ２は、両側面の接近が検知されない（ＮＯ）場合、ステップＳ１２に戻って動作を行う。プロセッサ２は、両側面の接近が検知された（ＹＥＳ）場合、１画面表示又は２画面表示から全画面表示に切り替える（ステップＳ１３）。続いて、プロセッサ２は、側面１５及び側面２５の隔離を検知したか否かを判断する（ステップＳ１４）。プロセッサ２は、両側面の隔離を検知しない（ＮＯ）場合、ステップＳ１４に戻って動作を行う。プロセッサ２は、両側面の隔離を検知した（ＹＥＳ）場合、全画面表示から切替前の表示（１画面表示又は２画面表示）に切り替え（ステップＳ１５）、ステップＳ１２に戻る。
【００６１】
表示システム１においては、第１表示装置１０及び第２表示装置２０をカバー部材３０に固定することで、両表示装置を繋げて利用することができる。また、例えば第１表示装置１０をカバー部材３０から取り外すことで、第１表示装置１０を単独で持ち運んで１台のスマートフォンとして利用することもできる。一方、例えばヒンジで連結された折り畳み式の２画面端末では、一方の表示装置を単独で持ち運んで利用することができない。
【００６２】
このように、本実施例では、表示装置がヒンジ等で連結される場合に比べて、表示装置を単独で持ち運んでの利用と他の表示装置と繋げての利用の切り替えを容易にすることができる。また、表示システム１においては、第１表示装置１０の側面１５及び第２表示装置２０の側面２５の接近が検知されると、例えば１画面表示又は２画面表示から全画面表示に切り替える切替制御を行われる。
【００６３】
両側面を接近させるのは、第１表示面１１及び第２表示面２１を１つの表示面として用いたい場合が多い。従って、本実施例によれば、全画面表示に切り替える操作を別途行う必要がなくなり、この切替制御が行われない場合に比べてユーザの手間を減らすことができる。また、表示システム１においては、磁力により側面１５及び側面２５が接近した状態が維持される。これにより、両側面を近づけるだけで途中から手を離しても両側面を互いに接近した状態にすることができる。
【００６４】
［２］変形例
上述した実施例は本発明の実施の一例に過ぎず、以下のように変形させてもよい。
【００６５】
［２−１］表示装置の着脱
実施例では、第１表示装置１０及び第２表示装置２０の両方が着脱可能であったが、一方は着脱できずに完全にカバー部材３０に固定されていてもよい。例えば第２表示装置２０はタッチスクリーンの機能しかないので、カバー部材３０に固定しておいて、スマートフォンとして利用される第１表示装置１０のみ着脱可能としていてもよい。
【００６６】
その場合でも、実施例と同じように、着脱可能な方の表示装置（例えば第１表示装置１０）を単独で持ち運んでの利用と、完全に固定されている方の表示装置（例えば第２表示装置２０）と繋げての利用の切り替えを容易にすることができる。このように、カバー部材３０は、少なくとも一方の表示装置が着脱可能であればよい。なお、実施例のようにどちらの表示装置も着脱可能だと、カバー部材３０だけを修理や交換の対象にすることができる。
【００６７】
［２−２］スライダ
実施例では、第１保持部３３及び第２保持部３４の両方（つまり第１表示装置１０及び第２表示装置２０の両方）がスライドしたが、どちらか一方だけがスライドしてもよい。第１表示装置１０及び第２表示装置２０の少なくとも一方がスライドするだけでも、両表示装置の側面同士が接近するまでスライドさせれば、全画面表示により表示された画像がきれいに繋がって見えるようになる。
【００６８】
［２−３］表示装置の固定方法
実施例では、カバー部材３０に両表示装置がスライド可能に固定されていたが、これに限らず、スライドしない状態で固定されていてもよい。例えば第１保持部３３及び第２保持部３４が直接カバー部材３０に固定されることで、両表示装置がスライドしない状態でカバー部材３０に固定される。
【００６９】
その場合でも、連結部３７が可撓性を有するので、連結部３７を撓ませて第１保持部３３及び第２保持部３４を接触させることで、磁力部材５１及び磁力部材５２によって両表示装置の側面同士が接近する状態が維持される。なお、実施例のようにスライド部を設けると、図８に表すように連結部３７を撓ませなくても側面同士が接近する状態にすることができる。
【００７０】
これにより、平らな面にカバー部材を置いたときに、スライド部を設けない場合に比べて安定させることができる。また、保持部の形状も、実施例では表示装置の全側面を覆う形状であったが、これに限らず、一部の側面を覆う形状であってもよい。また、表示装置の裏側とカバー部材の固定領域に設けられた金具同士を嵌め合わせることで表示装置がカバー部材に固定されてもよい。
【００７１】
その場合はそれらの金具が保持部の代わりになる。また、着脱させない表示装置については、接着剤等でカバー部材に接着することで固定してもよい。その場合は接着剤が保持部の代わりとなる。要するに、少なくとも一方の表示装置が着脱可能となっていれば、どのような方法で表示装置がカバー部材に固定されていてもよい。
【００７２】
［２−４］維持部材
第１表示装置１０の側面１５及び第２表示装置２０の側面２５が接近する状態を維持する維持部材は、実施例で述べた磁力部材に限らない。例えば、第１保持部及び第２保持部の接触する部分に、一方の凹部に他方の凸部を嵌め込む嵌め込み部（外す際に突起等が引っ掛かって抵抗が生じる形状のもの）を設けることで、接近状態を維持するようにしてもよい。その場合は嵌め込み部が本発明の「維持部材」の一例となる。
【００７３】
また、面ファスナー（マジックテープ（登録商標）又はベルクロ（登録商標）とも呼ばれる）によって接近状態を維持するようにしてもよい。また、実施例の第１保持部３３及び第２保持部３４は表示装置の側面を覆う形状であったため、両保持部に維持部材が設けられたが、上記変形例のように保持部が用いられない場合は、表示装置に維持部材（磁力部材等）が直接設けられてもよい。その場合、保持部を挟まない分、側面同士、すなわち表示面同士をより近づけることができる。
【００７４】
［２−５］結線部材
結線部材は、実施例と異なる構成であってもよい。例えば上記変形例のようにスライド部が設けられていなければ、レール部を設ける必要もない。また、第１端子４１及び第２端子４２を接続する配線部は、実施例のようにカバー部材３０（特に連結部３７）の内部に設けられていなくてもよい。
【００７５】
例えばカバー部材の内側（折り畳み時に内側になる方）に露出された状態で配線が設けられていてもよい。その場合でも、第１表示装置１０及び第２表示装置２０が結線されていれば、全画面表示を行うことができる。また、カバー部材の折り畳み時に連結部に沿って撓むように長さが調整されていれば、カバー部材及び表示装置等に接触して不要な力が加わって破損するということも生じにくい。
【００７６】
［２−６］切替制御の契機
プロセッサ２は、切替制御を行う契機を実施例と異ならせてもよい。本変形例では、プロセッサ２は、例えば、第１表示装置１０及び第２表示装置２０の一方がカバー部材３０に固定された状態で他方がカバー部材３０に固定されたことを契機に、実施例と同様の切替制御を行う。この場合のプロセッサ２は本発明の「第２表示制御部」の一例である。
【００７７】
言い換えると、プロセッサ２は、第１表示装置１０及び第２表示装置２０の両方がカバー部材３０に固定されたことを契機に切替制御を行う。本変形例では、プロセッサ２が、第２表示装置２０との通信が可能になった場合に、両表示装置がカバー部材３０に固定されたことを検知する（両表示装置が固定されないと第２表示装置２０と結線されないため）。この場合のプロセッサ２は本発明の「固定検知部」の一例である。
【００７８】
なお、これに限らず、例えば、第１保持部３３及び第２保持部３４に表示装置が保持されたことを検知する保持検知センサを用いて固定が検知されてもよい。保持検知センサは、例えば接触センサ又は光センサ等である。接触センサは、保持部に保持された表示装置と接触する位置に設けられ、光センサは、保持部に保持された表示装置により光が遮られる位置に設けられる。
【００７９】
プロセッサ２は、両方の保持部に設けられた保持検知センサから表示装置が保持されたことを表す信号が出力された場合に、両表示装置がカバー部材３０に固定されたことを検知する。また、プロセッサ２は、第２表示装置２０との通信が不能になった場合に、いずれかの表示装置がカバー部材３０から取り外されたことを検知する。なお、プロセッサ２は、一方の保持検知センサから表示装置が保持されたことを表す信号が出力されなくなった場合に、表示装置がカバー部材３０から取り外されたことを検知してもよい。
【００８０】
図１３は本変形例の切替制御における動作手順の一例を表す。この動作手順は、ステップＳ２１（１画面表示又は２画面表示）、ステップＳ２３（全画面表示に切り替え）及びステップＳ２５（切替前の表示に切り替え）が図１２のステップＳ１１、Ｓ１３、Ｓ１５と共通している。ステップＳ２１の次に、プロセッサ２は、両表示装置の固定を検知したか否かを判断する（ステップＳ２２）。
【００８１】
プロセッサ２は、両表示装置の固定が検知されない（ＮＯ）場合、ステップＳ２２に戻って動作を行う。プロセッサ２は、両表示装置の固定が検知された（ＹＥＳ）場合、ステップＳ２３の動作を行う。また、プロセッサ２は、ステップＳ２３の次に、表示装置の取外しを検知したか否かを判断する（ステップＳ２４）。プロセッサ２は、表示装置の取外しを検知しない（ＮＯ）場合、ステップＳ２４に戻って動作を行う。
【００８２】
プロセッサ２は、表示装置の取外しを検知した（ＹＥＳ）場合、ステップＳ２５の動作を行いステップＳ２２に戻る。本変形例では、両表示装置がカバー部材３０に固定された段階で切替制御が行われる。例えば全画面表示への切り替えが行われた場合は、全画面表示された画像を繋げてみるため、第１表示装置１０の側面１５及び第２表示装置２０の側面２５を接近させるようにユーザに促すことができる。
【００８３】
［２−７］表示制御
プロセッサ２は、実施例では全画面表示を切り替える切替制御を行ったが、それとは異なる表示制御を行ってもよい。プロセッサ２は、例えば、第１表示装置１０に所定のアプリ（アプリケーションプログラム）が表示されている場合に、そのアプリに関連する別のアプリを第２表示装置２０に表示させる表示制御を行ってもよい。
【００８４】
関連するアプリの組合せとしては、例えば、乗換案内アプリと地図アプリ、スケジュールアプリと天気予報アプリ、電話アプリと電話帳アプリなどの組合せが用いられる。これらは、２つのアプリの画像を並べて利用されることになりやすい組合せである。上述した両側面の接近又は両表示装置の固定が検知されると、２つの表示面を並べた状態で利用されることになりやすい。本変形例によれば、その検知がされた場合に、前述の組合せのアプリが各表示面にそれぞれ表示されるので、片方のアプリをユーザが起動する手間を省くことができる。
【００８５】
［２−８］表示装置
表示システムが備える表示装置は上述したものに限らない。例えば実施例では片方がスマートフォンで片方がタッチスクリーンであったが、両方ともスマートフォンであってもよい。また、サイズを大きくしてタブレット端末を表示装置として用いてもよい。要するに、画像を表示する表示面を有する板状の装置であって、２つの装置を結線することで連動可能な機能を有していれば、どのような表示装置が用いられてもよい。
【００８６】
ここでいう板状の装置とは、２つの大きな面（１つは表示面を含む面）を有する薄い直方体の装置のことである。但し角が落とされて平面だけではなく曲面を含んで構成される場合もある。カバー部材を折り畳むと表示システム全体の厚さが表示装置の厚さの倍以上になるので、表示装置の厚さが大きいと利用者にとってかさばり過ぎて実用に耐えられなくなる。そのため、板状の装置（表示装置）は、図４に表すようにカバー部材を折り畳んだ場合に、実用に耐えうる厚さに収まる程度に薄い装置であることが望ましい。
【００８７】
［２−９］発明のカテゴリ
本発明は、表示システムに限らず、例えば表示システムが備える表示装置が実施する処理を実現するための情報処理方法としても捉えられ、また、その表示装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【００８８】
［２−１０］「及び」、「又は」
本明細書において、「Ａ及びＢ」でも「Ａ又はＢ」でも実施可能な構成については、一方の表現で記載された構成を、他方の表現で記載された構成として用いてもよい。例えば「Ａ及びＢ」と記載されている場合、他の記載との不整合が生じず実施可能であれば、「Ａ又はＢ」として用いてもよい。
【００８９】
［２−１１］態様のバリエーション等
本明細書で説明した各実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９０】
以上、本発明について詳細に説明したが、当業者にとっては、本発明が本明細書中に説明した実施例に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９１】
１…表示システム、１０…第１表示装置、１１…第１表示面、１２…第１筐体、１３…背面、１４…第１背面端子、１５…側面、２０…第２表示装置、２１…第２表示面、２２…第２筐体、２３…背面、２４…第２背面端子、２５…側面、３０…カバー部材、３１…第１カバー部、３２…第２カバー部、３３…第１保持部、３４…第２保持部、３５…第１スライド部、３６…第２スライド部、３７…連結部、３８…接触センサ、４０…結線部材、４１…第１端子、４２…第２端子、４３…第１レール部、４４…第２レール部、４５…内蔵配線部、５１…磁力部材、５２…磁力部材。
【図１】
2020118752.tif 000003
【図２】
2020118752.tif 000004
【図３】
2020118752.tif 000005
【図４】
2020118752.tif 000006
【図５】
2020118752.tif 000007
【図６】
2020118752.tif 000008
【図７】
2020118752.tif 000009
【図８】
2020118752.tif 000010
【図９】
2020118752.tif 000011
【図１０】
2020118752.tif 000012
【図１１】
2020118752.tif 000013
【図１２】
2020118752.tif 000014
【図１３】
2020118752.tif 000015